(57)【要約】 【課題】  遠くからでも利用者に会社名等を容易に識別させることができ、メンテナンスの必要がなく、しかも、低コストで汎用性のある車両用表示灯を提供する。【解決手段】  ＬＥＤ６が点灯されると、この光が導光板４に入射し、透光性のカバー体２の外面に照射される。透光性のカバー体２の内面には、反射フィルム９が貼り付けられているため、内面には透過せず、これに反射して、透光性のカバー体２の外面に照射される。透光性のカバー体２の外面には、遮光フィルム３、３ａ、３ｂが貼り付けられているので、これ以外の発光面Ｓから光が照射される。【選択図】          図２
2006004786.tif 000002
【特許請求の範囲】
【請求項１】
車両の屋上に取りつけられる車両用表示灯において、
透光性を有するカバー体と、
前記カバー体の内面に設置された導光体と、
前記導光体に照射する発光素子と、
を備えることを特徴とする車両用表示灯。
【請求項２】
前記発光素子は、発光ダイオードである、
ことを特徴とする請求項１に記載の車両用表示灯。
【請求項３】
前記導光体は、導光板である、
ことを特徴とする請求項１に記載の車両用表示灯。
【請求項４】
前記カバー体の内面または外面に設置された遮光体を設ける、
ことを特徴とする請求項１〜３のいずれかに記載の車両用表示灯。
【請求項５】
前記導光体の少なくとも一方の面に設置される反射体を設ける、
ことを特徴とする請求項１〜４のいずれかに記載の車両用表示灯。
【発明の詳細な説明】
【技術分野】
【０００１】
この発明は、例えば、タクシー等の車両の屋根に取付けられ、会社名や広告文字等を表示する車両用表示灯に関する。
【背景技術】
【０００２】
タクシーの屋根には、会社名や広告を示す文字や図形等の標識が表された車両用表示灯が装着されている。このうち、会社名を示す表示灯は空車走行時には点灯される。そのため、タクシー利用者は空車のタクシーを夜間でも見つけることができる。従来の表示灯では、点灯させるために、電球や蛍光灯を内部に設置している。
【０００３】
しかし、従来の表示灯では、輝度が低いため、利用者は遠い場所からでは見つけることが難しい。また、見つけることができても、表示灯全体が光るので、会社名を識別することができない。そのため、利用者にとっては不便である。更に、従来の表示灯では、電球や蛍光灯が消耗しやすいため、これらを頻繁に交換しなければならない。このため、遠くからでも利用者に会社名を容易に識別させることができ、メンテナンスの必要がないタクシー用表示灯の提供が望まれていた。
【０００４】
これを解決するために、特許文献１では、以下のような発明が開示されている。即ち、この発明は、点灯手段を備え、文字、図形等の標識が表されたタクシーの屋上表示灯において、前記点灯手段が発光ダイオード（ＬＥＤ）であり、前記標識の形に複数のＬＥＤが並べられている。
【０００５】
この発明では、表示灯を点灯させる手段として、ＬＥＤを使用している。ＬＥＤは電球や蛍光灯よりも輝度が高く、そのためタクシー利用者は遠くからでも空車のタクシーを見つけることができる。その上、ＬＥＤを使用すると輝度がかなり高くなるように設定することができるので、夜間だけでなく昼間でも表示灯を際立たせることが可能である。
【０００６】
また、この発明の表示灯では、標識の形にＬＥＤが並べられているので、点灯させると、表示灯全体ではなく標識部分だけが光る。よって、利用者はタクシー会社名を容易に識別することができる。更に、ＬＥＤは消耗することがないので、本発明の表示灯はメンテナンスの必要がない。
【特許文献１】登録実用新案第３０６８４２５号公報の段落［０００２］〜［０００６］および図１。
【発明の開示】
【発明が解決しようとする課題】
【０００７】
しかしながら、上記発明では、ＬＥＤの個数が多く、コストが高いという問題があった。また、特定の文字や図形に特化したＬＥＤの配置を設計しなければならず、汎用性に乏しいという問題があった。
【０００８】
そこで本発明では、遠くからでも利用者に会社名等を容易に識別させることができ、メンテナンスの必要がなく、しかも、低コストで汎用性のある車両用表示灯を提供することを目的とする。
【課題を解決するための手段】
【０００９】
前記目的を達成するために、本発明のうちで請求項１に記載の車両用表示灯は、
車両の屋上に取りつけられる車両用表示灯において、
透光性を有するカバー体と、
前記カバー体の内面に設置された導光体と、
前記導光体に照射する発光素子と、
を備えることを特徴とする。
【００１０】
また、請求項２に記載の車両用表示灯は、請求項１に記載の車両用表示灯に加えて、
前記発光素子は、発光ダイオードである、
ことを特徴とする。
【００１１】
また、請求項３に記載の車両用表示灯は、請求項１に記載の車両用表示灯に加えて、
前記導光体は、導光板である、
ことを特徴とする。
【００１２】
また、請求項３に記載の車両用表示灯は、請求項１〜３のいずれかに記載の車両用表示灯に加えて、
前記カバー体の内面または外面に設置された遮光体を設ける、
ことを特徴とする。
【００１３】
また、請求項３に記載の車両用表示灯は、請求項１〜４のいずれかに記載の車両用表示灯に加えて、
前記導光体の少なくとも一方の面に設置される反射体を設ける、
ことを特徴とする。
【発明の効果】
【００１４】
請求項１に記載の車両用行先表示灯によれば、
この車両用行先表示器は、透光性を有するカバー体と、前記カバー体の内面に設置された導光体と、前記導光体に照射する発光素子とを備えることによって、前記発光素子が前記導光体に光を導き、前記透光性を有するカバー体の外面に光を照射できるので、少数の発光素子でも前記導光体を介して一様な光を照射することができるとともに、低コストとすることができる。
【００１５】
また、請求項２に記載の車両用表示灯によれば、
前記発光素子を発光ダイオードとしたので、長寿命でメンテナンスが必要なく、しかも小電力で発光させることができる。
【００１６】
また、請求項３に記載の車両用表示灯によれば、
前記導光体を導光板としたので、前記カバー体の内平面にほぼ密着させて設置することができる。
【００１７】
また、請求項４に記載の車両用表示灯によれば、
前記カバー体の内面または外面に設置された遮光体を設けることによって、即ち、光を通過しない部分に遮光体を設けると、光が通過する部分、あるいは、通過しない部分の図形や文字が表示される。この遮光板は、様々な図形、文字など、種々の応用が可能であり、これを取り替えるだけで、多くの客先の要求に応えることができ、汎用性を持たせることが可能となる。
【００１８】
また、請求項５に記載の車両用表示灯によれば、
前記導光体の少なくとも一方の面に設置される反射体を設けること、即ち、主な発光面と反対の面に遮光体を設置することによって、発光面側に効率よく光を照射することができる。
【００１９】
以上の発明の車両用表示灯によって、遠くからでも利用者に会社名等を容易に識別させることができ、メンテナンスの必要がなく、しかも、低コストで汎用性のある車両用表示灯を提供することができる。
【発明を実施するための最良の形態】
【００２０】
図１は、本実施形態の車両用表示灯を示す斜視図であり、その正面に会社名を表示している。本実施形態では、社名の部分が非透光性となっており、黒く表示される。本発明における実施例について図２を用いて説明する。
（実施例）
【００２１】
図２（ａ）は、図１の車両用表示灯の正面図である、図２（ｂ）は、図２（ａ）のＡ−Ａ断面を示す。透光性のカバー体２の外面には、遮光フィルム３、３ａ、３ｂが接着部材によって貼り付けられている。遮光フィルム３の略中央部はひし形の穴が開いている。遮光フィルム３ａ、３ｂは、文字型に形成されている。このひし形内部と文字との間Ｓが発光面となっている。
【００２２】
透光性のカバー体２の内面には、導光板４が貼り付けられており、該導光板４の発光面Ｓの背面側には、非透光性の反射フィルム９が貼り付けられている。透光性のカバー体２の底面には、プリント基板５が設置されており、このプリント基板５上であって、導光板４の端縁下部には、発光ダイオード（以下、ＬＥＤとする）６が設置されている。また、このプリント基板５上には、点灯回路の構成部品７が配置され、プリント基板５上に配置された図示しない回路パターンによってＬＥＤと接続されている。点灯回路の構成部品７からの電源コード８は、図示しない車体側とスイッチ等を介して接続される。
【００２３】
次に本実施例の作用および効果を説明する。ＬＥＤ６が点灯されると、この光が導光板４に入射し、透光性のカバー体２の外面に照射される。透光性のカバー体２の内面には、反射フィルム９が貼り付けられているため、内面には透過せず、これに反射して、透光性のカバー体２の外面に照射される。透光性のカバー体２の外面には、遮光フィルム３、３ａ、３ｂが貼り付けられているので、これ以外の発光面Ｓから光が照射される。
【００２４】
このようにすることで、ＬＥＤ６が導光板４に光を導き、透光性のカバー体２の外面に光を照射できるので、少数のＬＥＤでも導光板４を介して一様な光を照射することができるとともに、低コストとすることができる。
【００２５】
また、ＬＥＤ６を用いているので、長寿命でメンテナンスが必要なく、しかも小電力で発光させることができる。また、導光板４をカバー体２の内平面にほぼ密着させて設置しているので、一様な光を漏れなく外部に照射することができる。また、導光板４の背面側には、反射フィルムを貼り付けているので効率よく外部に光を照射することができる。
【００２６】
また、カバー体２の外面に遮光フィルム３、３ａ、３ｂを貼り付けたので、その部分から光を照射することにより、遮光部分の図形や文字を表示させることができる。また、この遮光フィルム３、３ａ、３ｂを取り替えるだけで、多くの客先の要求に応えることができ、汎用性を持たせることが可能となる。
【００２７】
このように本実施例によれば、遠くからでも利用者に会社名等を容易に識別させることができ、メンテナンスの必要がなく、しかも、低コストで汎用性のある車両用表示灯を提供することができる。
【００２８】
（応用例等）
なお、本発明は上記の実施例に限定するものではなく、本発明の要旨を変更しない範囲で様々な応用が可能である。実施例では、遮光フィルム３等をカバー体２の外面に貼り付けたが、内面に貼り付けても良く、また、フィルム状のものに限定しない。また、ＬＥＤ６に替えて、蛍光灯や白熱電球等の他の光源を使用することもできる。また、導光板に替えて導光チューブをカバー体の内面に這わせておくことも可能である。また、本実施例では、反射フィルムを用いているが、カバー体の他の側面および上面に光を照射させる場合にはこれを省略することも可能である。また、本実施例では、表示する文字を遮光させたが、反対に文字の部分だけ透光するように、遮光フィルムを加工することも可能である。また、遮光フィルムを用いず、カバー体２に塗装してこのフィルムの代わりとしても良い。また、ＬＥＤ６は単色ＬＥＤに限定する必要はなく、フルカラーＬＥＤ等により様々な発光色に調光することも可能である。また、ＬＥＤ６を導光板下部の長手方向に複数個設置することにより、より一層の一様な照射光を得ることが可能である。
【図面の簡単な説明】
【００２９】
【図１】本実施形態の車両用表示灯の斜視図である。
【図２】本実施例の車両用表示灯の正面図（ａ）とそのＡ−Ａ断面図（ｂ）である。
【符号の説明】
【００３０】
１  車両用表示灯、２  カバー体、３、３ａ、３ｂ  遮光フィルム、４  導光板、５  プリント基板、６  ＬＥＤ、７  点灯回路の構成部品、８  電源コード、９  反射フィルム。
【図１】
2006004786.tif 000003
【図２】
2006004786.tif 000004